(57)【要約】【課題】  迅速かつ確実に時刻情報の修正を行うことのできる時刻データ受信装置等を提供する。【解決手段】  所定の受信時刻になったか否かを判断し（Ｓ１０１）、なったならば、修正済Ｆをリセット（＝０）する（Ｓ１０２）。受信順位１位の標準電波を受信させ（Ｓ１０３）、受信が成功したか否かを判断する（Ｓ１０５）。受信が不成功であった場合には、Ｓ１０６及びＳ１０７の処理を行うことなく、Ｓ１０８に進む。受信が成功であった場合には、現在時刻を修正するとともに（Ｓ１０６）、修正済Ｆをセット（＝１）する（Ｓ１０７）。つまり、標準電波の受信を最初に成功した時点で時刻修正することから、標準電波の受信を開始してから時刻情報の修正を完了するまでの処理に時間を要することがない。しかも、受信を成功した標準電波には適正に時刻データが含まれていることから、確実に時刻情報の修正を行うことができる。【選択図】    図４
2005326289.tif 000002
【特許請求の範囲】
【請求項１】
現在時刻情報を生成する計時手段と、
夫々時刻データを含む複数の電波を受信可能な受信手段と、
前記複数の電波の受信順位を記憶する記憶手段と、
時刻修正時に、前記受信順位に従って複数の電波を受信するように前記受信手段を制御する受信制御手段と、
この受信制御手段の制御により前記受信手段で受信された複数の電波において、最初に時刻データが得られた電波に含まれている当該時刻データに基づき前記計時手段の時刻情報を修正する時刻修正手段と、
前記複数の電波の受信状態に従って受信順位を決定し、前記記憶手段に記憶させる記憶制御手段と
を備えることを特徴とする時刻データ受信装置。
【請求項２】
前記受信手段が前記複数の電波を受信した際に、各電波の受信状態を判定する判定手段を更に備え、
前記記憶制御手段は、前記判定手段の判定結果に基づき、前記複数の電波の受信順位を決定して、前記記憶手段に記憶させることを特徴とする請求項１記載の時刻データ受信装置。
【請求項３】
多数の電波のうちから複数の電波を選択するともに、選択した電波の受信順位を指定し、この選択指定された複数の電波の受信順位を前記記憶手段に予め記憶させる選択指定手段を更に備えることを特徴とする請求項１記載の時刻データ受信装置。
【請求項４】
操作手段を更に備え、
前記受信制御手段は、前記操作手段に対する操作に応答して、前記受信順位に従って複数の電波を受信するように前記受信手段を制御することを特徴とする請求項１記載の時刻データ受信装置。
【請求項５】
現在時刻情報を生成する計時手段と、夫々時刻データを含む複数の電波を受信可能な受信手段と、前記複数の電波の受信順位を記憶する記憶手段とを備える時刻データ受信装置が有するコンピュータを、
時刻修正時に、前記受信順位に従って複数の電波を受信するように前記受信手段を制御する受信制御手段と、
この受信制御手段の制御により前記受信手段で受信された複数の電波において、最初に時刻データが得られた電波に含まれている当該時刻データに基づき前記計時手段の時刻情報を修正する時刻修正手段と、
前記複数の電波の受信状態に従って受信順位を決定し、前記記憶手段に記憶させる記憶制御手段と
して機能させることを特徴とする時刻データ受信制御プログラム。
【請求項６】
現在時刻情報を生成する計時手段と、夫々時刻データを含む複数の電波を受信可能な受信手段と、前記複数の電波の受信順位を記憶する記憶手段とを備える時刻データ受信装置の制御方法であって、
時刻修正時に、前記受信順位に従って複数の電波を受信するように前記受信手段を制御する受信制御ステップと、
この受信制御ステップでの制御により前記受信手段で受信された複数の電波において、最初に時刻データが得られた電波に含まれている当該時刻データに基づき前記計時手段の時刻情報を修正する時刻修正ステップと、
前記複数の電波の受信状態に従って受信順位を決定し、前記記憶手段に記憶させる記憶制御ステップと
を含むことを特徴とする時刻データ受信装置の制御方法。
【発明の詳細な説明】
【技術分野】
【０００１】
本発明は、時刻データ受信装置、時刻データ受信制御プログラム及び時刻データ受信装置の制御方法に関する。
【背景技術】
【０００２】
今日においては、各国（例えば、ドイツ、イギリス、スイス、日本等）において、時刻データを含む標準電波が送出されているとともに、このような時刻データを含む標準電波を受信して、これにより現在時刻データを修正する、いわゆる電波時計が実用化されている。電波時計は、所定時間毎に、内蔵しているアンテナを介して標準電波を受信し、増幅変調して時刻データを解読することにより現在時刻を修正している。
【０００３】
また、前記標準電波は各国、あるいは当該国の地域ごとに周波数が異なる。そこで、複数の周波数の標準電波を受信可能とし、世界中の何処でも当該地域における周波数の標準電波を受信して時刻修正を可能とする電波時計も提案されるに至っている。この電波時計は、第１の電波を受信してその電界強度を検出した後、第２の電波を受信してその電界強度を検出し、しかる後に両電波の電界強度を比較する。この比較の結果、電界強度の強い電波を選択して再度受信し、この受信した電波に含まれている時刻データに基づき計時している時刻情報を修正するものである（例えば、特許文献１参照。）。
【特許文献１】特開平５−１４２３６３号公報
【発明の開示】
【発明が解決しようとする課題】
【０００４】
しかしながら、前記電波時計にあっては、時刻情報の修正前に第１及び第２の電波の受信を行うとともに電界強度の検出を行い、しかる後に再度いずれかの電波を受信して時刻情報の修正を行うことから、電波の受信を開始してから時刻情報の修正を完了するまでの処理に時間を要してしまう。
【０００５】
また、必ずしも電界強度の強い電波の方がノイズが少ないとは限らない。したがって、電界強度の強い電波を選択して再度受信し、この受信した電波に含まれている時刻データに基づき時刻情報を修正しようとした際、ノイズに起因して時刻データを適正に得られない場合があり、時刻情報の修正が不可能となるおそれがある。
【０００６】
本発明は、かかる従来の課題に鑑みてなされたものであり、迅速かつ確実に時刻情報の修正を行うことのできる時刻データ受信装置、時刻データ受信制御プログラム及び時刻データ受信装置の制御方法を提供することを目的とする。
【課題を解決するための手段】
【０００７】
前記課題を解決するため請求項１記載の発明に係る時刻データ受信装置にあっては、現在時刻情報を生成する計時手段と、夫々時刻データを含む複数の電波を受信可能な受信手段と、前記複数の電波の受信順位を記憶する記憶手段と、時刻修正時に、前記受信順位に従って複数の電波を受信するように前記受信手段を制御する受信制御手段と、この受信制御手段の制御により前記受信手段で受信された複数の電波において、最初に時刻データが得られた電波に含まれている当該時刻データに基づき前記計時手段の時刻情報を修正する時刻修正手段と、前記複数の電波の受信状態に従って受信順位を決定し、前記記憶手段に記憶させる記憶制御手段とを備える。
【０００８】
したがって、受信手段で受信された複数の電波において、最初に時刻データが得られた電波に含まれている当該時刻データに基づき時刻修正がなされることから、電波の受信を開始してから時刻情報の修正を完了するまでの処理に時間を要することがなく、迅速に時刻情報の修正を行うことができる。また、複数の電波の受信状態に従って受信順位を決定することから、迅速に時刻データを得られる電波を受信することができ、これによっても標準電波の受信を開始してから時刻情報の修正を完了するまでの処理に要する時間を短くすることができる。しかも、時刻データが得られたことを条件に時刻修正を行うことから、確実に時刻情報の修正を行うことができる。
【０００９】
また、請求項２記載の発明に係る時刻データ受信装置にあっては、前記受信手段が前記複数の電波を受信した際に、各電波の受信状態を判定する判定手段を更に備え、前記記憶制御手段は、前記判定手段の判定結果に基づき、前記複数の電波の受信順位を決定して、前記記憶手段に記憶させる。したがって、実際の受信による受信状態に基づき複数の電波の受信順位を決定されることから、受信順位を実際の受信状態に対応する適正な順位にすることができる。
【００１０】
また、請求項３記載の発明に係る時刻データ受信装置にあっては、多数の電波のうちから複数の電波を選択するともに、選択した電波の受信順位を指定し、この選択指定された複数の電波の受信順位を前記記憶手段に予め記憶させる選択指定手段を更に備える。したがって、当初においてはユーザが指定した受信順序で複数の電波を受信させることができ、これにより受信順序にユーザの意思を反映させることもできる。
【００１１】
また、請求項４記載の発明に係る時刻データ受信装置にあっては、操作手段を更に備え、前記受信制御手段は、前記操作手段に対する操作に応答して、前記受信順位に従って複数の電波を受信するように前記受信手段を制御する。したがって、この時刻データ受信装置を携帯したユーザが操作手段を操作すれば、所定の時刻修正時でない場合であっても、迅速に時刻修正を行うことができる。
【００１２】
また、請求項５記載の発明に係る時刻データ受信制御プログラムにあっては、現在時刻情報を生成する計時手段と、夫々時刻データを含む複数の電波を受信可能な受信手段と、前記複数の電波の受信順位を記憶する記憶手段とを備える時刻データ受信装置が有するコンピュータを、時刻修正時に、前記受信順位に従って複数の電波を受信するように前記受信手段を制御する受信制御手段と、この受信制御手段の制御により前記受信手段で受信された複数の電波において、最初に時刻データが得られた電波に含まれている当該時刻データに基づき前記計時手段の時刻情報を修正する時刻修正手段と、前記複数の電波の受信状態に従って受信順位を決定し、前記記憶手段に記憶させる記憶制御手段として機能させる。したがって、前記コンピュータがこのプログラムに従って処理を実行することにより、請求項１記載の発明と同様の作用効果を奏する。
【００１３】
また、請求項６記載の発明に係る時刻データ受信装置の制御方法にあっては、現在時刻情報を生成する計時手段と、夫々時刻データを含む複数の電波を受信可能な受信手段と、前記複数の電波の受信順位を記憶する記憶手段とを備える時刻データ受信装置の制御方法であって、時刻修正時に、前記受信順位に従って複数の電波を受信するように前記受信手段を制御する受信制御ステップと、この受信制御ステップでの制御により前記受信手段で受信された複数の電波において、最初に時刻データが得られた電波に含まれている当該時刻データに基づき前記計時手段の時刻情報を修正する時刻修正ステップと、前記複数の電波の受信状態に従って受信順位を決定し、前記記憶手段に記憶させる記憶制御ステップとを含む。したがって、記載したステップに従って処理を実行することにより、請求項１記載の発明と同様の作用効果を奏する。
【発明の効果】
【００１４】
本発明によれば、受信された複数の電波において、最初に時刻データが得られた電波に含まれている当該時刻データに基づき時刻修正がなされることから、電波の受信を開始してから時刻情報の修正を完了するまでの処理に時間を要することがなく、迅速に時刻情報の修正を行うことができる。複数の電波の受信状態に従って受信順位を決定することから、迅速に時刻データを得られる電波を受信することができ、これによっても標準電波の受信を開始してから時刻情報の修正を完了するまでの処理に要する時間を短くすることができる。しかも、時刻データが得られたことを条件に時刻修正を行うことから、確実に時刻情報の修正を行うことができ、よって、迅速かつ確実に時刻情報の修正を行うことが可能となる。
【発明を実施するための最良の形態】
【００１５】
以下、本発明の一実施の形態を図に従って説明する。図１は、本発明の一実施の形態に係る電波時計の回路構成を示すブロック図である。図示のように、この回路はＣＰＵ１を中心にして構成され、ＣＰＵ１は、ＲＯＭ２に格納されているプログラムに基づき動作することにより、各部を制御するものである。ＲＡＭ３は、ＣＰＵ１が動作する際に使用されるワークエリアが設けられているとともに、後述するように各種データを格納する記憶部が設けられている。
【００１６】
アンテナ４は、世界各国において所定の場所に設けられている（当該国において複数の場所に設けられている場合もある）送信所より送出される所定のフォーマットの時刻データを振幅変調した送信所毎に異なる周波数からなる長波標準電波を受信し、これに対応する電気信号にして受信回路５に送出する回路部である。受信回路５は、ＣＰＵ１からの指示に従って、アンテナ４からの前記電気信号から送信所毎に異なる特定周波数のものを選択して受信し、その信号から時刻データを得てＣＰＵ１に送出する。
【００１７】
発振回路６は、常時一定周波数のクロック信号を送出している回路部である。分周回路７は発振回路６からのクロック信号を計数して計数値が１秒に対応する値になる都度、１秒信号を時計計数回路８に送出するとともに、ＣＰＵ１からのプリセット信号を受けると、その計数値が所定値にフリセットされる回路部である。時計計数回路８は、分周回路７からの前記１秒信号を計数して、現在時刻データすなわち現在の日付データ、現在の曜日データ、現在の時データ、現在の分データ、現在の秒データを得て、これをＣＰＵ１に与えるとともに、ＣＰＵ１からの時刻データで、計数している現在時刻データを修正する回路である。
【００１８】
スイッチ部９は、後述するフローチャートにおいて示すように、モード切換スイッチ、地域選択スイッチ、順位選択スイッチ、電波種別入力スイッチ、及び他のスイッチで構成され、各スイッチの操作信号がＣＰＵ１に送出される。表示部１０は、ＣＰＵ１からのデータすなわち時計計数回路８による現在時刻や、修正の成功あるいは失敗、各種データ等を表示する。
【００１９】
前記ＲＯＭ２には、前記プログラムとともに図２に示す標準電波テーブル２１が記憶されている。標準電波テーブル２１は、領域２１１、２１２、２１３で構成されている。領域２１１には、ＪＰ（日本）、ＧＢ（イギリス）、ＤＥ（ドイツ）、ＣＨ（スイス）、ＵＳ（アメリカ）等の各国別の電波種別情報が記憶されている。ここで、ＪＰ（日本）においては２種類の異なる周波数からなる標準電波を所定の各送信所から送信している。したがって、このように同一国内で異なる複数種の標準電波を用いている場合には、ＪＰ１、ＪＰ２のように、識別符号を付加して標準電波を特定している。また、領域２１２には当該標準電波の周波数が記憶され、領域２１３には当該標準電波に含まれている時刻データの送信フォーマットが記憶されている。
【００２０】
前記ＲＡＭ３には、前記ワークエリアとともに、図３（Ａ）に示す受信電波順位記憶部３１と、同図（Ｂ）に示すレベル一時記憶部３２とが設けられている。受信電波順位記憶部３１は、受信地域Ａ〜Ｅに対応して設けられた領域３１１、３１２、３１３、３１４で構成されている。領域３１１、３１２、３１３、３１４には、予めユーザにより設定された受信順位１〜４の電波種別情報（標準電波テーブル２１の領域２１１に記憶されている情報と同一の情報）が記憶される。例えば、ユーザが日本とアメリカとを旅行する場合には、「受信地域Ｃ」に例示するように、ユーザは受信順位１及び受信順位２に「ＪＰ１」「ＪＰ２」を記憶させ、受信順位２にアメリカの赴く地域に対応する「ＵＳ１」を記憶させておく。なお、これら領域３１１、３１２、３１３、３１４に記憶された受信順位１〜４の電波種別情報は後述する処理により並び変えられる。
なお、ＵＳ（アメリカ）においては、コロラド州に送信所があり、そこから世界標準時刻を送信している。アメリカ本土は、４つの地域に分けられて標準時が決められているので、時計の使用地域が４つの地域のうちどの地域かを、ＵＳに続く番号で選択するようになっていて、太平洋部、山岳部、中部及び東部に、１〜４の番号が対応付けられている。時計には、４つの地域の世界標準時刻に対する時差が記憶されていて、時刻表示の際に選択された地域の時差を加算して表示するように構成にされている。
【００２１】
前記レベル一時記憶部３２は、受信順位１〜４の受信レベルを記憶する領域３２１、３２２、３２３、３２４で構成され、各領域には、複数受信した標準電波において、図８のレベル判定基準に基づいて判定された受信順位１〜４の電波のレベルが一時的に記憶される。
【００２２】
すなわち、受信が成功し時刻データが得られた場合はレベル１、受信データに含まれている６０個のパルスのうち、      “１”、“０”等の予め決められたコードとして判定が行えたパルス数がＡ個以上の場合はレベル２、判定が行えたパルス数がＡ個未満、Ｂ個以上の場合（Ａ＞Ｂ）はレベル３、レベル３以下はレベル４と判定される。
【００２３】
以上の構成に係る本実施の形態において、ＣＰＵ１はＲＯＭ２に格納されているプログラムに基づき、図４のフローチャートに示す処理を繰り返し実行する。すなわち、時計計数回路８から与えられた現在時刻データに基づき、所定の受信時刻（例えば午前３時）になったか否かを判断する（ステップＳ１０１）。受信時刻になっていなければステップＳ１２４に進み、後述するステップＳ１２４及びＳ１２５の処理を実行する。また、所定の受信時刻になったならば、修正済（フラグ）Ｆをリセット（＝０）する（ステップＳ１０２）。引き続き受信回路５を制御して、後述するように予めユーザにより受信電波順位記憶部３１から選択されている受信地域Ａ〜Ｅのいずれかにおける受信順位１位の標準電波を受信させる（ステップＳ１０３）。すなわち、ユーザより予め「受信地域Ｃ」が選択されていたとすると、この「受信地域Ｃ」の受信順位１位の標準電波は、図３（Ａ）に示したように、「ＪＰ１」となっていることから、受信回路５を制御して、標準電波「ＪＰ１」を受信させる。
【００２４】
さらに、この受信した標準電波の受信レベルをレベル判定基準に基づいて判定し、この判定したレベルを、レベル一時記憶部３２の領域３２１に記憶させる（ステップＳ１０４）。  次に、この受信により時刻データが得られたか否かに基づき受信が成功したか否かを判断する（ステップＳ１０５）。受信が不成功であった場合には、ステップＳ１０６及びＳ１０７の処理を行うことなく、後述するステップＳ１０８に進む。受信が成功であった場合には、時刻データが示す時刻に従って、時計計数回路８が計数している現在時刻を修正するとともに（ステップＳ１０６）、修正済Ｆをセット（＝１）する（ステップＳ１０７）。
【００２５】
引き続き、ユーザより予め選択された当該受信地域において、受信順位２位の電波種別情報があるか否かを判断する（ステップＳ１０８）。ある場合には、当該受信順位２位の標準電波を受信させ（ステップＳ１０９）、この受信した標準電波の受信レベルをレベル判定基準に基づいて判定し、この判定したレベルをレベル一時記憶部３２の領域３２２に記憶させる（ステップＳ１１０）。次に、この受信が成功したか否かを判断する（ステップＳ１１１）。
【００２６】
受信が成功であった場合には、修正済Ｆがリセット（＝０）状態にあるか否かを判断する（ステップＳ１１２）。そして、修正済Ｆがリセット（＝０）状態にある場合にのみ、時刻データが示す時刻に従って、時計計数回路８が計数している現在時刻を修正し（ステップＳ１１３）、修正済Ｆをセットする（ステップＳ１１４）。
【００２７】
したがって、既に受信順位１の標準電波の受信を成功して時刻修正済である場合には、受信順位２の標準電波の時刻データに基づいて重複して時刻修正がなされることはない。また、標準電波の受信を成功した時点で時刻修正がなされることから、標準電波の受信を開始してから時刻情報の修正を完了するまでの処理に時間を要することがなく、迅速に時刻情報の修正を行うことができる。しかも、受信を成功した標準電波には適正に時刻データが含まれていることから、確実に時刻情報の修正を行うことができる。
【００２８】
なお、図４のフローチャートにおいて受信順位３の標準電波に対する処理は省略したが、前記ステップＳ１０８〜Ｓ１１４と同様の処理を受信順位３の標準電波に対しても実行する。しかる後に、ユーザより予め選択された当該受信地域において、受信順位４位の電波種別情報があるか否かを判断する（ステップＳ１１５）。ある場合には、当該受信順位２位の標準電波を受信させ（ステップＳ１１６）、この受信した標準電波の受信レベルをレベル判定基準に基づいて判定し、この判定したレベルをレベル一時記憶部３２の領域３２４に記憶させる（ステップＳ１１７）。次に、この受信が成功したか否かを判断する（ステップＳ１１８）。受信が成功であった場合には、修正済Ｆがリセット（＝０）状態にあるか否かを判断する（ステップＳ１１９）。そして、修正済Ｆがリセット（＝０）状態にある場合にのみ、時刻データが示す時刻に従って、時計計数回路８が計数している現在時刻を修正し（ステップＳ１２０）、修正済Ｆをセットする（ステップＳ１２１）。
【００２９】
引き続き、以上の処理によりレベル一時記憶部３２に記憶された受信順位１〜４の標準電波の受信レベルに基づいて、ユーザが予め選択した受信地域における受信順位を変更する必要があるか否かを判断する（ステップＳ１２２）。
【００３０】
つまり、レベル一時記憶部３２に記憶された受信順位１〜４の標準電波の受信レベルの順位が、ユーザが予め選択した受信地域における受信順位と同じ場合には、ユーザが予め選択した受信地域における受信順位を変更する必要はない（ＮＯ）と判断する。しかし、レベル一時記憶部３２に記憶された受信順位１〜４の標準電波の受信レベルの順位が、ユーザが予め選択した受信地域における受信順位１〜４と異なる場合には、ユーザが予め選択した受信地域における受信順位を変更する必要がある（ＹＥＳ）判断する。
【００３１】
そして、受信順位を変更する必要があると判断した場合には、受信地域における受信順位１〜４の電波種別情報を、レベル一時記憶部３２に記憶された受信順位１〜４の標準電波の受信レベルに基づいて並び替えて、受信電波順位記憶部３１に記憶させる（ステップＳ１２３）。したがって、このステップＳ１２３での処理により、標準電波を受信する毎に最も受信レベルが高い標準電波の電波種別情報が受信順位１位として更新されることとなる。そして、前述のステップＳ１０３で説明したように、この受信順位１位の標準電波が最初に受信されることから、これによっても標準電波の受信を開始してから時刻情報の修正を完了するまでの処理に要する時間を短くすることができる。
【００３２】
そして、ステップＳ１２３を実行した後、又はステップＳ１２２で受信順位を変更する必要がないと判断した場合にはステップＳ１２３を行うことなく、スイッチ処理（ステップＳ１２４）及び表示処理（ステップＳ１２５）を実行する。
【００３３】
スイッチ処理（ステップＳ１２４）は、図５に示すフローチャートに従って実行される。先ず、前記スイッチ部９に設けられているモード切換スイッチの操作が検出されたか否かを判断する（ステップＳ２０１）。モード切換スイッチの操作が検出された場合には、操作される毎に通常モードと受信順位設定モードとの切換を行う（ステップＳ２０２）。
【００３４】
また、モード切換スイッチの操作が検出されない場合には、通常モードの状態にあるか否かを判断する（ステップＳ２０３）。通常モードの状態にある場合には、地域選択スイッチの操作が検出されたか否かを判断する（ステップＳ２０４）。地域選択スイッチの操作が検出されない場合には他のスイッチ処理を実行し、検出された場合には後述する地域変更処理を実行する（ステップＳ２０５）。
【００３５】
また、ステップＳ２０３での判断の結果、通常モードの状態ではなく受信順位設定モードの状態ある場合には、地域選択スイッチの操作が検出されたか否かを判断する（ステップＳ２０６）。地域選択スイッチの操作が検出された場合には、受信電波順位記憶部３１の地域Ａ〜Ｅをサイクリックに選択指定する（ステップＳ２０７）。地域選択スイッチの操作が検出されない場合には、順位選択スイッチの操作が検出されたか否かを判断する（ステップＳ２０８）。順位選択スイッチの操作が検出された場合には、前記ステップＳ２０７で選択指定されている受信電波順位記憶部３１の地域Ａ〜Ｅにおいて、順位１〜４をサイクリックに選択指定する（ステップＳ２０９）。
【００３６】
順位選択スイッチの操作が検出されない場合には、電波種別入力スイッチの操作が検出されたか否かを判断する（ステップＳ２０８）。電波種別入力スイッチの操作が検出されない場合には、他のスイッチ処理を実行する。また、電波種別入力スイッチの操作が検出された場合には、前記ステップＳ２０７で選択指定されている地域であって、ステップＳ２０９で選択指定されている順位の記憶部（領域３１１〜３１４）に選択された電波の種別を記憶させる。
【００３７】
つまり、受信順位設定モードの状態において、地域選択スイッチを操作することにより受信電波順位記憶部３１の地域Ａ〜Ｅが選択指定され、順位選択スイッチを操作することにより順位１〜４が選択指定され、電波種別入力スイッチを操作することにより、既に選択指定されている地域Ａ〜Ｅの順位１〜４に、選択された電波種別が記憶される。したがって、地域選択スイッチの操作により地域Ｃを選択指定し、順位選択スイッチの操作により順位１を選択指定し、電波種別入力スイッチの操作により電波種別「ＪＰ１」を選択指定することにより、図３（Ａ）に示したように、受信地域Ｃであって受信順位１の領域３１１に電波種別情報「ＪＰ１」を記憶させることができる。また、同様の手順で操作を行うことにより、ユーザは受信地域Ａ〜Ｃの受信順位１〜４に任意の電波種別を記憶させることができる。
【００３８】
前記地域変更処理（ステップＳ２０５）は、図６に示すフローチャートに従って実行される。先ず、前回の成功表示（後述する図７のステップＳ４０３で表示）を消去するともに（ステップＳ３０１）、前回の成功表示（後述する図７のステップＳ４０４で表示）を消去する（ステップＳ３０２）。引き続き、時刻修正処理を実行する（ステップＳ３０３）。この時刻修正処理は、図４のフローチャートにおいて破線で囲んだステップで構成される処理である。したがって、受信順位１〜４の標準電波の受信に成功している場合には、受信に成功した標準電波に含まれている時刻データに基づき時刻修正が完了し、修正済Ｆ＝１となっている。
【００３９】
したがって、ステップＳ３０３に続くステップＳ３０４では、受信が成功して修正済Ｆ＝１となっているか否かを判断する。修正済Ｆ＝０であって受信が不成功となっている場合には、特定時間が経過したか否かを判断し（ステップＳ３０５）、特定時間が経過するまで表示部１０に表示されている時刻を点滅表示させる（ステップＳ３０６）。そして、特定時間が経過したならば（ステップＳ３０５：ＹＥＳ）、再度時刻修正処理を実行し（ステップＳ３０３）、修正済Ｆ＝１となったか否かを判断する（ステップＳ３０４）。受信が成功して修正済Ｆ＝１となった場合には、表示部１０に修正された時刻を表示させ（ステップＳ３０７）、修正成功表示を行うとともに（ステップＳ３０８）、修正に使用した電波種別を表示させる（ステップＳ３０９）。
【００４０】
したがって、ユーザが電波種別の異なる地域に移動した際に、地域選択スイッチを操作すれば、当該地域において送信所から送信されている標準電波に含まれている時刻データに基づき、受信時刻（ステップＳ１０１：午前３時）にならなくても、迅速に時刻修正を行うことができる。
【００４１】
一方、前記表示処理（ステップＳ１２５）は、図７に示すフローチャートに従って実行される。先ず、前記通常モードの状態にあるか否かを判断する（ステップＳ４０１）。通常モードの状態にある場合には、時計計数回路８から与えられた時刻情報に基づき表示部１０に時刻を表示させる（ステップＳ４０２）。前回の時刻修正の成功又は失敗を表示させるとともに（ステップＳ４０３）、前回の時刻修正に使用した電波種別を表示させる（ステップＳ４０４）。
【００４２】
また、ステップＳ４０１での判断の結果、通常モードの状態にない場合には、受信順位設定モードに切り換えられているか否かを判断する（ステップＳ４０５）。受信順位設定モードに切り換えられていない場合には、他のモード表示処理に移行する。受信順位設定モードに切り換えられている場合には、前記図５のフローチャートにおけるステップＳ２０７で選択指定された地域、ステップＳ２０９で選択指定された順位のデータを表示部１０に表示させる（ステップＳ４０６）。したがって、ユーザはこれら表示部１０に表示される事項を視認しつつ受信順位設定モードにて設定を行うことができる。
【００４３】
なお、本実施の形態においては、受信電波順位記憶部３１に受信順位１〜４の電波種別を記憶して、図４のフローチャートで受信順位１〜４に対して受信を行うようにしたが、受信電波順位記憶部３１に記憶させる受信順位対応する電波種別の数はこれにかぎるものではなく、より多くても少なくてもよい。また、本発明を電波時計単体に適用した場合を示したが、これに限ることなく時刻データ受信機能を備えた各種携帯機器に本発明を適用することが可能である。
【図面の簡単な説明】
【００４４】
【図１】本発明の一実施の形態を示すブロック回路図である。
【図２】ＲＯＭに設けられた標準電波テーブルの概念図である。
【図３】（Ａ）はＲＡＭに設けられた受信電波順位記憶部の概念図、（Ｂ）はレベル一時記憶部の概念図である。
【図４】ＣＰＵの処理手順を示すフローチャートである。
【図５】スイッチ処理の詳細を示すフローチャートである。
【図６】地域変更処理の詳細を示すフローチャートである。
【図７】表示処理の詳細を示すフローチャートである。
【図８】受信レベル判定基準を示す図である。
【符号の説明】
【００４５】
１    ＣＰＵ
２    ＲＯＭ
３    ＲＡＭ
４    アンテナ
５    受信回路
６    発振回路
７    分周回路
８    時計計数回路
９    スイッチ部
１０    表示部
２１    標準電波テーブル
２２    受信順位判定基準テーブル
３１    受信電波順位記憶部
３２    レベル一時記憶部
【図１】
2005326289.tif 000003
【図２】
2005326289.tif 000004
【図３】
2005326289.tif 000005
【図４】
2005326289.tif 000006
【図５】
2005326289.tif 000007
【図６】
2005326289.tif 000008
【図７】
2005326289.tif 000009
【図８】
2005326289.tif 000010